(57)【要約】      （修正有）【課題】  漏水運転時における保圧完了からポンプ始動までのポンプ始動サイクル時間を長くすることにより、設備寿命を長くすることのできる給水方法を提供する。【解決手段】  ポンプ始動圧力Ｈｍ１よりもポンプ吐出側圧力Ｈｉが低くなると、ポンプを始動させて給水し、ポンプ吐出側流量が設定流量よりも少なくなると、保圧運転を行った後にポンプを停止させて給水を停止する給水方法において、ポンプ始動圧力Ｈｍ１よりも低い第２ポンプ始動圧力Ｈｍ２を設定し、ポンプ吐出側圧力Ｈｉに基づくポンプ運転信号ＲＵＮとポンプ吐出側流量に基づいて漏水運転を判定し、漏水運転時は、第２ポンプ始動圧力Ｈｍ２よりもポンプ吐出側圧力Ｈｉが低くなると、または、ポンプ吐出側流量Ｆｌが設定流量以上になると、ポンプを始動させる。【選択図】    図２
2006118414.tif 000002
【特許請求の範囲】
【請求項１】
ポンプ始動圧力よりもポンプ吐出側圧力が低くなると、ポンプを始動させて給水し、ポンプ吐出側流量が設定流量よりも少なくなると、保圧運転を行った後に前記ポンプを停止させて給水を停止する給水方法において、
前記ポンプ始動圧力よりも低い第２ポンプ始動圧力を設定し、
前記ポンプ吐出側圧力に基づくポンプ運転信号と前記ポンプ吐出側流量とに基づいて漏水運転を判定し、
前記漏水運転時は、前記第２ポンプ始動圧力よりも前記ポンプ吐出側圧力が低くなると、または、前記ポンプ吐出側流量が前記設定流量以上になると、前記ポンプを始動させる、
ことを特徴とする給水方法。
【請求項２】
請求項１に記載の給水方法において、
前記ポンプ吐出側流量が前記設定流量よりも少ない状態が継続している間に、漏水運転要求が任意の回数に達すると、前記漏水運転と判定する、
ことを特徴とする給水方法。
【請求項３】
請求項１または請求項２に記載の給水方法において、
前記漏水運転時は、前記第２ポンプ始動圧力よりも前記ポンプ吐出側圧力が低くなり、前記ポンプが始動した後、前記ポンプ吐出側流量が一定時間以上、前記設定流量以上になると、前記漏水運転を解除する、
ことを特徴とする給水方法。
【請求項４】
ポンプ始動圧力よりもポンプ吐出側圧力が低くなると、ポンプを始動させて給水し、ポンプ吐出側流量が設定流量よりも少なくなると、保圧運転を行った後に前記ポンプを停止させて給水を停止する給水装置において、
前記ポンプ始動圧力を設定する第１ポンプ始動圧力設定手段と、
前記ポンプ始動圧力よりも低い第２ポンプ始動圧力を設定する第２ポンプ始動圧力設定手段と、
この第２ポンプ始動圧力設定手段が出力する前記第２ポンプ始動圧力または前記第１ポンプ始動圧力設定手段が出力する前記ポンプ始動圧力を選択してポンプ始動圧力とする選択手段と、
この選択手段が出力する前記ポンプ始動圧力が、前記ポンプ吐出側圧力よりも低くなると、ポンプ始動要求信号を出力する比較手段と、
この比較手段から前記ポンプ始動要求信号が供給されると、または、前記ポンプ吐出側流量が前記設定流量以上になると、前記ポンプ始動要求信号を出力するポンプ始動要求信号出力判定手段と、
前記比較手段が前記ポンプ始動要求信号を出力したのを記憶し、この記憶が前記ポンプを停止させるポンプ停止信号によってリセットされる記憶手段と、
この記憶手段が、前記比較手段が前記ポンプ始動要求信号を出力したのを記憶している状態で、前記ポンプ吐出側圧力に基づくポンプ運転信号と前記ポンプ吐出側流量とに基づいて漏水運転を判定する漏水運転判定手段と、
この漏水運転判定手段が前記漏水運転と判定したのを記憶する漏水運転記憶手段と、
この漏水運転記憶手段が前記漏水運転を記憶していない出力によって前記選択手段に前記第１ポンプ始動圧力設定手段が出力する前記ポンプ始動圧力を選択させ、前記漏水運転記憶手段が前記漏水運転を記憶している出力によって前記選択手段に前記第２ポンプ始動圧力設定手段が出力する前記第２ポンプ始動圧力を選択させる選択手段切替手段と、
前記記憶手段が、前記比較手段が前記ポンプ始動要求信号を出力したのを記憶している状態で、前記ポンプ吐出側圧力に基づく前記ポンプ運転信号と前記ポンプ吐出側流量とに基づいて給水運転を判定し、前記給水運転と判定すると、前記漏水運転記憶手段の前記漏水運転の記憶をリセット信号によってリセットする給水運転判定手段とを設けた、
ことを特徴とする給水装置。
【請求項５】
請求項４に記載の給水装置において、
前記漏水運転判定手段と前記漏水運転記憶手段との間に、前記漏水運転判定手段が前記漏水運転と判定した回数をカウントし、カウント数が任意の数になると、前記漏水運転記憶手段へ前記漏水運転を記憶させる信号を出力し、また、前記カウント数が前記給水運転判定手段からの前記リセット信号によってリセットされる漏水運転回数カウント手段を設けた、
ことを特徴とする給水装置。
【請求項６】
請求項４または請求項５に記載の給水装置において、
前記給水運転判定手段と前記漏水運転記憶手段との間に、前記給水運転判定手段からの前記リセット信号を任意の時間遅延させる遅延手段を設けた、
ことを特徴とする給水装置。
【発明の詳細な説明】
【技術分野】
【０００１】
この発明は、ポンプの始動頻度を低減させるための給水方法および給水装置に関するものである。
【背景技術】
【０００２】
通常、給水装置において、給水要求に基づいて停止中のポンプを始動させる場合、ポンプを始動させるための圧力は、給水圧力変動をできるだけ小さくするために吐出圧力一定、または、推定末端圧一定の設定圧力の１００％〜９５％の圧力に設定されている。
そして、例えば、１秒に１滴から数滴の微少量の漏水があった場合、ある時間だけポンプを始動させずに給水圧力を保てるように、圧力タンクを設けている。
【特許文献１】特開平８−２７７７８２号公報
【発明の開示】
【発明が解決しようとする課題】
【０００３】
しかしながら、ポンプを始動させるための圧力が吐出圧力一定、または、推定末端圧一定の設定圧力の１００％〜９５％の圧力に設定されているので、圧力タンクを設けていても、僅かな漏水が続くと、圧力タンクに貯留した加圧水が放出された後は、給水を行わずに圧力タンクに加圧水を貯えるため（給水圧力を保つため）にポンプを始動させる（以下、この運転を漏水運転という。）。
したがって、微少量の漏水があった場合、所期したモータ、ポンプの始動頻度よりも始動頻度が増加することとなる。
このように、モータ、ポンプの始動頻度が増加すると、モータ、ポンプの異常温度上昇の要因になり、設備の故障に繋がる恐れがある。
最近では、モータの制御に可変電圧、可変周波数のインバータを用いることにより、モータ、ポンプの異常温度上昇は軽減されるようになった。
しかしなお、モータ、ポンプの始動頻度の増加は、機器のストレスを増加させ、設備寿命を短くするといった問題が残ったままである。
特に、水冷式のモータの場合、充分な冷却効果が得られなくなる。
【課題を解決するための手段】
【０００４】
この発明は、以下のような発明である。
（１）ポンプ始動圧力よりもポンプ吐出側圧力が低くなると、ポンプを始動させて給水し、ポンプ吐出側流量が設定流量よりも少なくなると、保圧運転を行った後に前記ポンプを停止させて給水を停止する給水方法において、前記ポンプ始動圧力よりも低い第２ポンプ始動圧力を設定し、前記ポンプ吐出側圧力に基づくポンプ運転信号と前記ポンプ吐出側流量とに基づいて漏水運転を判定し、前記漏水運転時は、前記第２ポンプ始動圧力よりも前記ポンプ吐出側圧力が低くなると、または、前記ポンプ吐出側流量が前記設定流量以上になると、前記ポンプを始動させることを特徴とする。
（２）（１）に記載の給水方法において、前記ポンプ吐出側流量が前記設定流量よりも少ない状態が継続している間に、漏水運転要求が任意の回数に達すると、前記漏水運転と判定することを特徴とする。
（３）（１）または（２）に記載の給水方法において、前記漏水運転時は、前記第２ポンプ始動圧力よりも前記ポンプ吐出側圧力が低くなり、前記ポンプが始動した後、前記ポンプ吐出側流量が一定時間以上、前記設定流量以上になると、前記漏水運転を解除することを特徴とする。
（４）ポンプ始動圧力よりもポンプ吐出側圧力が低くなると、ポンプを始動させて給水し、ポンプ吐出側流量が設定流量よりも少なくなると、保圧運転を行った後に前記ポンプを停止させて給水を停止する給水装置において、前記ポンプ始動圧力を設定する第１ポンプ始動圧力設定手段と、前記ポンプ始動圧力よりも低い第２ポンプ始動圧力を設定する第２ポンプ始動圧力設定手段と、この第２ポンプ始動圧力設定手段が出力する前記第２ポンプ始動圧力または前記第１ポンプ始動圧力設定手段が出力する前記ポンプ始動圧力を選択してポンプ始動圧力とする選択手段と、この選択手段が出力する前記ポンプ始動圧力が、前記ポンプ吐出側圧力よりも低くなると、ポンプ始動要求信号を出力する比較手段と、この比較手段から前記ポンプ始動要求信号が供給されると、または、前記ポンプ吐出側流量が前記設定流量以上になると、前記ポンプ始動要求信号を出力するポンプ始動要求信号出力判定手段と、前記比較手段が前記ポンプ始動要求信号を出力したのを記憶し、この記憶が前記ポンプを停止させるポンプ停止信号によってリセットされる記憶手段と、この記憶手段が、前記比較手段が前記ポンプ始動要求信号を出力したのを記憶している状態で、前記ポンプ吐出側圧力に基づくポンプ運転信号と前記ポンプ吐出側流量とに基づいて漏水運転を判定する漏水運転判定手段と、この漏水運転判定手段が前記漏水運転と判定したのを記憶する漏水運転記憶手段と、この漏水運転記憶手段が前記漏水運転を記憶していない出力によって前記選択手段に前記第１ポンプ始動圧力設定手段が出力する前記ポンプ始動圧力を選択させ、前記漏水運転記憶手段が前記漏水運転を記憶している出力によって前記選択手段に前記第２ポンプ始動圧力設定手段が出力する前記第２ポンプ始動圧力を選択させる選択手段切替手段と、前記記憶手段が、前記比較手段が前記ポンプ始動要求信号を出力したのを記憶している状態で、前記ポンプ吐出側圧力に基づく前記ポンプ運転信号と前記ポンプ吐出側流量とに基づいて給水運転を判定し、前記給水運転と判定すると、前記漏水運転記憶手段の前記漏水運転の記憶をリセット信号によってリセットする給水運転判定手段とを設けたことを特徴とする。
（５）（４）に記載の給水装置において、前記漏水運転判定手段と前記漏水運転記憶手段との間に、前記漏水運転判定手段が前記漏水運転と判定した回数をカウントし、カウント数が任意の数になると、前記漏水運転記憶手段へ前記漏水運転を記憶させる信号を出力し、また、前記カウント数が前記給水運転判定手段からの前記リセット信号によってリセットされる漏水運転回数カウント手段を設けたことを特徴とする。
（６）（４）または（５）に記載の給水装置において、前記給水運転判定手段と前記漏水運転記憶手段との間に、前記給水運転判定手段からの前記リセット信号を任意の時間遅延させる遅延手段を設けたことを特徴とする。
【０００５】
この発明の給水方法または給水装置によれば、漏水運転時は、第２ポンプ始動圧力よりもポンプ吐出側圧力が低くなり、ポンプが始動した後、ポンプ吐出側流量が一定時間以上、設定流量以上になると、漏水運転を解除するので、漏水運転時における保圧完了からポンプ始動までのポンプ始動サイクル時間が長くなることにより、設備寿命を長くすることができる。
そして、ポンプ吐出側流量が設定流量よりも少ない状態が継続している間に、漏水運転要求が任意の回数に達すると、漏水運転と判定するので、漏水を確実に判定して漏水運転に移行することができる。
さらに、漏水運転時は、第２ポンプ始動圧力よりもポンプ吐出側圧力が低くなった後、または、ポンプ吐出側流量が設定流量以上になると、ポンプが始動し、任意の時間ポンプが給水運転を行うと、漏水運転を解除するので、水冷式のモータの場合、充分に通水時間を確保することができ、充分な冷却効果を得ることができる。
【発明を実施するための最良の形態】
【０００６】
以下、この発明の実施例を図に基づいて説明する。
【０００７】
図１はこの発明の一実施例である給水装置の構成を示すブロック図である。
【０００８】
図１において、１は水道管、２は給水配管を示し、この給水配管２は、水道管１の下流に接続された給水本管３と、この給水本管３の途中に、並列に挿入された２本の給水分岐管４Ａ，４Ｂとで構成されている。
５はバイパス管を示し、給水分岐管４Ａ，４Ｂよりも上流の給水本管３と、給水分岐管４Ａ，４Ｂよりも下流の給水本管３とを接続するものである。
【０００９】
１１はポンプ吸い込み側圧力検出器を示し、水道管１に配設され、後述するポンプ１３Ａ，１３Ｂへの押し込み圧力Ｈｓｕを検出して後述する給水制御シーケンス２６へ出力するものである。
１２はポンプ吸い込み側逆流防止器を示し、水道管１と給水配管２との間に配設され、給水配管２側から水道管１側へ水が逆流するのを防止するものである。
１３Ａ，１３Ｂはポンプを示し、ポンプ１３Ａは給水分岐管４Ａに配設され、ポンプ１３Ｂは給水分岐管４Ｂに配設されている。
【００１０】
１４Ａ，１４Ｂはポンプ吐出側逆止め弁を示し、ポンプ吐出側逆止め弁１４Ａはポンプ１３Ａよりも下流の給水分岐管４Ａに配設され、自身よりも下流からポンプ１３Ａへ水が逆流するのを防止するものであり、ポンプ吐出側逆止め弁１４Ｂはポンプ１３Ｂよりも下流の給水分岐管４Ｂに配設され、自身よりも下流からポンプ１３Ｂへ水が逆流するのを防止するものである。
１５Ａ，１５Ｂはポンプ吐出側止水弁を示し、ポンプ吐出側止水弁１５Ａはポンプ吐出側逆止め弁１４Ａよりも下流の給水分岐管４Ａに配設され、ポンプ吐出側止水弁１５Ｂはポンプ吐出側逆止め弁１４Ｂよりも下流の給水分岐管４Ｂに配設されている。
【００１１】
１６は圧力タンクを示し、ポンプ吐出側止水弁１５Ａ，１５Ｂよりも下流の給水本管３に配設され、給水量が殆どゼロとなる深夜などの時間帯にポンプ１３Ａ，１３Ｂが始動して停止する頻度、すなわち、始動頻度を少なくさせるため、所定量の加圧水を貯留するものである。
１７はバイパス用逆止め弁を示し、バイパス管５に配設され、押し込み圧力Ｈｓｕがポンプ１３Ａ，１３Ｂの運転が不要な位高圧であれば、ポンプ１３Ａ，１３Ｂよりも上流の給水本管３側からポンプ１３Ａ，１３Ｂよりも下流の給水本管３側へ水を流し、押し込み圧力Ｈｓｕがポンプ１３Ａ，１３Ｂの運転を必要とする圧力であれば、ポンプ吐出側止水弁１５Ａ，１５Ｂよりも下流の給水本管３側からポンプ１３Ａ，１３Ｂよりも上流の給水本管３側へ水が逆流するのを防止するものである。
【００１２】
１８は流量検出用フロースイッチを示し、圧力タンク１６よりも下流の給水本管３に配設され、給水本管３の流量（ポンプ吐出側流量）Ｆｌを検出して給水制御シーケンス２６へ出力するものである。
１９はポンプ吐出側圧力検出器を示し、流量検出用フロースイッチ１８よりも下流の給水本管３に配設され、ポンプ吐出側圧力（給水圧力、吐出圧力）Ｈｉを検出して後述する演算器２３へ出力するものである。
【００１３】
２１は吐出圧力一定制御部を示し、設定変更可能な目標圧力Ｈｓを出力する目標圧力設定器２２と、この目標圧力設定器２２が出力する目標圧力Ｈｓからポンプ吐出側圧力検出器１９が出力するポンプ吐出側圧力Ｈｉを減算して出力する演算器２３と、この演算器２３の出力に基づくディジタル信号の周波数Ｆ＊を出力するＰＩＤコントローラ２４と、このＰＩＤコントローラ２４が出力するディジタル信号の周波数Ｆ＊をアナログ信号のインバータ運転周波数指令Ｆａに変換して後述するインバータ５１Ａへ出力するＤ／Ａ（ディジタル・アナログ）変換器２５Ａと、ＰＩＤコントローラ２４が出力するディジタル信号の周波数Ｆ＊をアナログ信号のインバータ運転周波数指令Ｆｂに変換して後述するインバータ５１Ｂへ出力するＤ／Ａ変換器２５Ｂと、ポンプ吐出側圧力検出器１９からのポンプ吐出側圧力Ｈｉが所定値未満、例えば、目標圧力Ｈｓ未満、または、流量検出用フロースイッチ１８からの流量Ｆｌが、例えば、１０ｌ／分の流量を基準にして流量が１０ｌ／分以上になり、ポンプ１３Ａおよび／またはポンプ１３Ｂ（ポンプ１３Ａ，１３Ｂの少なくとも一方）が任意の時間運転を継続すると、ポンプ運転信号ＲＵＮとして“Ｈｒ”信号をポンプ始動頻度低減制御部３１へ出力し、ポンプ停止信号ＳＴＯＰとして“Ｈｓ”信号をポンプ始動頻度低減制御部３１へ出力するとともに、流量信号ＦＳとして“Ｈｆ”信号（多流量信号）をポンプ始動頻度低減制御部３１へ出力し、流量検出用フロースイッチ１８からの流量Ｆｌが１０ｌ／分未満を任意の時間継続すると、ポンプ運転信号ＲＵＮとして“Ｌｒ”信号をポンプ始動頻度低減制御部３１へ出力し、ポンプ停止信号ＳＴＯＰとして“Ｌｓ”信号をポンプ始動頻度低減制御部３１へ出力するとともに、流量信号ＦＳとして“Ｌｆ”信号（少流量信号）をポンプ始動頻度低減制御部３１へ出力し、また、ポンプ始動頻度低減制御部３１が出力するポンプ始動要求信号ＲＵＮＣ（“Ｈｃ”信号）に基づき、インバータ５１Ａおよび／またはインバータ５１Ｂ（インバータ５１Ａ，５１Ｂの少なくとも一方）へインバータ運転指令Ｓａ，Ｓｂを出力する給水制御シーケンス２６とで構成されている。
【００１４】
上記した給水制御シーケンス２６は、少流量検出から保圧、ポンプ１３Ａ，１３Ｂを停止させるシーケンス制御機能の他、ポンプ１３Ａおよび／またはポンプ１３Ｂ（ポンプ１３Ａ，１３Ｂの少なくとも一方）の始動、ポンプ１３Ａ，１３Ｂの自動交互運転シーケンス制御機能を内蔵するとともに、ポンプ吸い込み側圧力検出器１１からの押し込み圧力Ｈｓｕが規定値以上であるときのみポンプ１３Ａ，１３Ｂを運転できるようにインターロックする制御機能を内蔵している。
なお、以上の、吐出圧力一定制御部２１の構成は、ポンプ始動回路が除かれた公知の吐出圧力一定制御回路を構成している。
そして、給水制御シーケンス２６が、ポンプ１３Ａ，１３Ｂの始動が完了して一定時間経過した後にポンプ運転信号ＲＵＮとして“Ｈｒ”信号を出力するのは、ポンプ始動頻度低減制御部３１のＮＡＮＤ回路３８とＡＮＤ回路３９とが誤った判断をしないように考慮したものである。
【００１５】
５１Ａ，５１Ｂはインバータを示し、インバータ５１Ａは吐出圧力一定制御部２１からのインバータ運転周波数指令Ｆａ、および、ポンプ始動頻度低減制御部３１からのインバータ運転指令Ｓａに基づいてモータ５２Ａを介してポンプ１３Ａを制御し、また、インバータ５１Ｂは吐出圧力一定制御部２１からのインバータ運転周波数指令Ｆｂ、および、ポンプ始動頻度低減制御部３１からのインバータ運転指令Ｓｂに基づいてモータ５２Ｂを介してポンプ１３Ｂを制御するものである。
【００１６】
図２は図１に示したポンプ始動頻度低減制御部の構成の一例を示すブロック図である。
【００１７】
図２において、ポンプ始動頻度低減制御部３１は、給水圧力（吐出圧力）の、例えば、１００％〜９５％の圧力に設定変更可能な圧力を第１ポンプ始動圧力（通常のポンプ運転開始圧力）Ｈｍ１として出力する第１ポンプ始動圧力設定器３２Ａと、給水圧力（吐出圧力）の、例えば、７０％の圧力に設定変更可能な圧力を第２ポンプ始動圧力（漏水時のポンプ運転開始圧力）Ｈｍ２として出力する第２ポンプ始動圧力設定器３２Ｂと、この第２ポンプ始動圧力設定器３２Ｂが出力する第２ポンプ始動圧力Ｈｍ２または第１ポンプ始動圧力設定器３２Ａが出力する第１ポンプ始動圧力Ｈｍ１を選択してポンプ始動圧力Ｈｍとして出力する選択スイッチ３３と、この選択スイッチ３３が出力するポンプ始動圧力Ｈｍからポンプ吐出側圧力検出器１９が出力するポンプ吐出側圧力Ｈｉを減算して出力する演算器３４と、この演算器３４の出力が正の場合は“Ｈｃ”信号をポンプ始動要求信号として出力し、演算器３４の出力がゼロ以下の場合は“Ｌｃ”信号をポンプ停止要求信号として出力する比較器３５と、この比較器３５からポンプ始動要求信号（“Ｈｃ”信号）が供給され、または、給水制御シーケンス２６からポンプ始動要求信号（流量信号ＦＳの“Ｈｆ”信号）が供給されると、給水制御シーケンス２６へポンプ始動要求信号ＲＡＮＣ（“Ｈｃ”信号）を出力するポンプ始動信号出力判定器としてのＯＲ回路３６と、給水制御シーケンス２６からポンプ停止信号ＳＴＯＰ（“Ｈｓ”信号）が供給されている間に、比較器３５が何回ポンプ始動要求信号（“Ｈｃ”信号）を出力したかを記憶する記憶回路３７と、この記憶回路３７からポンプ始動要求信号が供給され、給水制御シーケンス２６からポンプ運転信号ＲＵＮ（“Ｈｒ”信号）および流量信号ＦＳ（“Ｌｆ”信号）が供給されると、漏水運転と判定する漏水運転判定器としてのＮＡＮＤ回路３８と、記憶回路３７からポンプ始動要求信号が供給され、給水制御シーケンス２６からポンプ運転信号ＲＵＮ（“Ｈｒ”信号）および流量信号ＦＳ（“Ｈｆ”信号）が供給されると、給水運転と判定する給水運転判定器としてのＡＮＤ回路３９と、ＮＡＮＤ回路３８からの漏水運転信号（“Ｈｎ”信号）をＡＮＤ回路３９からリセット信号（“Ｈａ”信号）が供給されるまでカウントする漏水運転回数カウンタ４０と、この漏水運転回数カウンタ４０の出力が任意の回数（値）、例えば、５以上になると、漏水運転信号を出力し、ＡＮＤ回路３９からの信号でリセットされる漏水運転記憶回路４２と、この漏水運転記憶回路４２から漏水運転信号が供給されている間、第２ポンプ始動圧力設定器３２Ｂが出力する第２ポンプ始動圧力Ｈｍ２を選択するように選択スイッチ３３を切り替える選択スイッチ切替器４３とで構成されている。
なお、記憶回路３７は、給水制御シーケンス２６からのポンプ停止信号ＳＴＯＰ（“Ｈｓ”信号）によってリセットされる。
【００１８】
次に、動作について説明する。
なお、最初の給水開始（給水運転）時においては、選択スイッチ３３は第１ポンプ始動圧力設定器３２Ａに設定された第１ポンプ始動圧力Ｈｍ１（１００％の給水圧力）を選択する状態となっている。
まず、給水を開始すると、吐出圧力一定制御部２１は、その給水状態における目標圧力Ｈｓ（１００％の給水圧力）とポンプ吐出側圧力Ｈｉとに基づいて周波数Ｆ＊を求め、インバータ５１Ａ，５１Ｂへインバータ運転周波数指令Ｆａ，Ｆｂを出力する。
また、ポンプ始動頻度低減制御部３１の選択スイッチ３３は第１ポンプ始動圧力設定器３２Ａの第１ポンプ始動圧力Ｈｍ１を選択しているので、第１ポンプ始動圧力Ｈｍ１からポンプ吐出側圧力Ｈｉを減算した値が演算器３４から出力され、演算器３４の出力が正になると、比較器３５がポンプ始動要求信号（“Ｈｃ”信号）を出力することにより、ＯＲ回路３６がポンプ始動要求信号ＲＵＮＣ（“Ｈｃ”信号）を給水制御シーケンス２６へ出力する。
【００１９】
そして、給水制御シーケンス２６がポンプ始動要求信号ＲＵＮＣ（“Ｈｃ”信号）を受信すると、運転すべきインバータ５１Ａおよび／またはインバータ５１Ｂ（インバータ５１Ａ，５１Ｂの少なくとも一方）を選別するとともに、インバータ運転指令Ｓａおよび／またはインバータ運転指令Ｓｂ（インバータ運転指令Ｓａ，Ｓｂの少なくとも一方）を出力する。
したがって、モータ５２Ａおよび／またはモータ５２Ｂ（モータ５２Ａ，５２Ｂの少なくとも一方）を介してポンプ１３Ａおよび／またはポンプ１３Ｂ（ポンプ１３Ａ，１３Ｂの少なくとも一方）を駆動することより、吐出圧一定によって給水する。
なお、この給水運転状態では給水配管２の流量Ｆｌが１０ｌ／分以上になるので、流量検出用フロースイッチ１８から給水制御シーケンス２６へ流量Ｆｌが１０ｌ／分以上である信号が出力されることにより、給水制御シーケンス２６は流量信号ＦＳ（“Ｈｆ”信号）、ポンプ運転信号ＲＵＮ（“Ｈｒ”信号）およびポンプ停止信号ＳＴＯＰ（“Ｈｓ”信号）をポンプ始動頻度低減制御部３１へ出力する。
【００２０】
そして、給水流量が減少すると、吐出圧力一定制御部２１の吐出圧力一定制御によってインバータ５１Ａおよび／またはインバータ５１Ｂ（インバータ５１Ａ，５１Ｂの少なくとも一方）の周波数Ｆ＊が自動的に低下させられ、ポンプ１３Ａおよび／またはポンプ１３Ｂ（ポンプ１３Ａ，１３Ｂの少なくとも一方）の吐出圧が一定に保たれる。
さらに、給水流量が減少し、流量検出用フロースイッチ１８から給水制御シーケンス２６へ流量Ｆｌが１０ｌ／分未満である信号が出力され、この状態が予め設定された任意の時間、例えば、３０秒継続すると、給水制御シーケンス２６は、給水負荷が小水量給水状態に入ったと判断し、シーケンスを保圧運転に切り替える。
この保圧運転では、ポンプ１３Ａまたはポンプ１３Ｂの設定圧力に一定の保圧用圧力、例えば、揚程で５．０ｍ分を加算して一定時間運転し、圧力タンク１６に圧力水を貯留する。
なお、保圧運転が終了すると、ポンプ１３Ａまたはポンプ１３Ｂは停止させられ、ポンプ吐出側逆止め弁１４Ａ，１４Ｂによって圧力水がポンプ１３Ａ，１３Ｂ側へ逃げるのを阻止される。
【００２１】
そして、保圧運転が終了してポンプ１３Ａ，１３Ｂを停止させても、ポンプ吐出側圧力検出器１９によって検出されたポンプ吐出側圧力Ｈｉは、吐出圧力一定制御部２１およびポンプ始動頻度低減制御部３１へ供給される。
したがって、ポンプ１３Ａ，１３Ｂの停止中であっても、第１ポンプ始動圧力Ｈｍ１からポンプ吐出側圧力Ｈｉを減算した値が演算器３４から出力され、演算器３４の出力が正になると、比較器３５がポンプ始動要求信号（“Ｈｃ”信号）を出力することにより、ＯＲ回路３６がポンプ始動要求信号ＲＵＮＣ（“Ｈｃ”信号）を給水制御シーケンス２６へ出力し、ポンプ１３Ａおよび／またはポンプ１３Ｂ（ポンプ１３Ａ，１３Ｂの少なくとも一方）を始動させる。
そして、給水流量が減少し、流量検出用フロースイッチ１８から流量Ｆｌが１０ｌ／分未満である信号が予め設定された時間継続して出力されると、給水制御シーケンス２６は、保圧運転の制御に入る。
【００２２】
以後は、同様な運転が繰り返される。
以上の運転は、従来の吐出圧力一定制御と殆ど同じである。
【００２３】
なお、比較器３５がポンプ始動要求信号（“Ｈｃ”信号）を出力している状態で、給水制御シーケンス２６から流量Ｆｌが１０ｌ／分以上の流量信号ＦＳ（“Ｈｆ”信号、多流量信号）およびポンプ運転信号ＲＵＮ（“Ｈｒ”信号）が出力されると、ＡＮＤ回路３９から“Ｈａ”信号が出力され、少なくとも１回の通常給水運転を行ったと判断する。
しかし、比較器３５がポンプ始動要求信号（“Ｈｃ”信号）を出力している状態で、給水制御シーケンス２６から流量Ｆｌが１０ｌ／分未満の流量信号ＦＳ（“Ｌｆ”信号、少流量信号）およびポンプ運転信号ＲＵＮ（“Ｈｒ”信号）出力されると、ＡＮＤ回路３９から“Ｌａ”信号が出力され、ＮＡＮＤ回路３８から“Ｈｎ”信号が出力されることにより、漏水運転と判断し、漏水運転回数カウンタ４０がカウントを開始する。
【００２４】
そして、漏水運転回数カウンタ４０が漏水運転の回数をカウントし、そのカウント値が設定された任意の回数、例えば、５回になると、漏水運転回数カウンタ４０が漏水運転記憶回路４２をセットするので、選択スイッチ切替器４３は、選択スイッチ３３の接片を第２ポンプ始動圧力設定器３２Ｂが出力する第２ポンプ始動圧力Ｈｍ２を選択するように切り替える。
このように、選択スイッチ３３が第２ポンプ始動圧力Ｈｍ２を選択するように切り替えられると、第２ポンプ始動圧力Ｈｍ２は第１ポンプ始動圧力Ｈｍ１の７０％に設定されているので、漏水運転が５回起こった後のポンプ始動圧力Ｈｍは、給水圧力の７０％（第２ポンプ始動圧力Ｈｍ２）に設定される。
【００２５】
なお、漏水運転回数カウンタ４０が漏水運転の回数をカウントし、そのカウント値が設定された５回になる前に、流量Ｆｌが１０ｌ／分以上の出力が流量検出用フロースイッチ１８から出力されて給水制御シーケンス２６から流量Ｆｌが１０ｌ／分以上の流量信号ＦＳ（“Ｈｆ”信号）が出力され、または、第１ポンプ始動圧力Ｈｍ１未満のポンプ吐出側圧力Ｈｉがポンプ吐出側圧力検出器１９から出力される（給水要求がある）と、あるいは、漏水運転回数カウンタ４０のカウント値が設定された回数以上になった後に、流量Ｆｌが１０ｌ／分以上の出力が流量検出用フロースイッチ１８から出力されて給水制御シーケンス２６から流量Ｆｌが１０ｌ／分以上の流量信号ＦＳ（“Ｈｆ”信号）が出力され、または、第２ポンプ始動圧力Ｈｍ２未満のポンプ吐出側圧力Ｈｉがポンプ吐出側圧力検出器１９から出力されると、ＡＮＤ回路３９が出力する“Ｈａ”信号によって漏水運転回数カウンタ４０がリセットされ、漏水運転記憶回路４２の漏水記憶が解かれる。
そして、選択スイッチ切替器４３が選択スイッチ３３の接片を、第１ポンプ始動圧力設定器３２Ａの第１ポンプ始動圧力Ｈｍ１を選択するように切り替えることにより、圧力変動の少ない通常の給水運転が行われる。
【００２６】
図３（ａ），（ｂ）はこの発明の効果を説明する特性図である。
なお、１秒に１滴という漏水条件で、保圧完了後の圧力低下を、圧力タンク１６を省略した従来の圧力タンクレスの給水装置で測定した値を図３（ａ）に示し、保圧完了後の圧力低下を、この発明を適用した圧力タンクレスの給水装置で測定した値を図３（ｂ）に示した。
そして、第２ポンプ始動圧力Ｈｍ２は、第１ポンプ始動圧力Ｈｍ１から−５ｍに設定した。
【００２７】
この図３（ａ），（ｂ）から分かるように、第２ポンプ始動圧力Ｈｍ２を、第１ポンプ始動圧力Ｈｍ１から−５ｍに設定しただけで、漏水運転時における保圧完了からポンプ１３Ａ，１３Ｂの始動までの時間を約２倍に長くする（延ばす）ことができる。
【００２８】
次に、第２ポンプ始動圧力Ｈｍ２を下げることによって漏水運転時における保圧完了からポンプ１３Ａ，１３Ｂの始動までのポンプ始動サイクル時間の延長にどの程度の効果があるかについて説明する。
ここで、圧力タンクの初圧をＰ0（ｋｇ／ｃｍ2）し、圧力タンクの有効水量Ｖ（ｐ．ｕ．）は、式（１）で表すことができる。
【００２９】
【数１】
2006118414.tif 000003
【００３０】
いま、圧力タンクの初圧Ｐ0を０．５ｋｇ／ｃｍ2とし、目標圧力Ｈｓを４０ｍ、保圧完了時の圧力を４５ｍとすると、従来の給水装置ではモータの始動圧力を４０ｍに設定するので、このときの有効水量Ｖ（ｐ．ｕ．）は、式（１）より式（２）と表すことができる。
【００３１】
【数２】
2006118414.tif 000004
【００３２】
仮に、圧力タンクの容積が１０ｌであるとすると、その有効水量Ｖは０．２７３ｌとなる。
【００３３】
次に、この発明の一実施例の給水装置では、圧力タンク１６の初圧Ｐ0を０．５ｋｇ／ｃｍ2とし、目標圧力Ｈｓを４０ｍ、保圧完了時の圧力を４５ｍ、モータ１３Ａ，１３Ｂの第２ポンプ始動圧力Ｈｍ２を２８ｍに設定すると、このときの有効水量Ｖ（ｐ．ｕ．）は、式（１）より式（３）式と表すことができる
【００３４】
【数３】
2006118414.tif 000005
【００３５】
仮に、圧力タンク１６の容積が１０ｌであるとすると、その有効水量Ｖは、１．２２ｌとなり、従来の約４．５倍になる。
すなわち、漏水条件が同じであれば、この発明の一実施例の給水装置によれば、漏水運転時における保圧完了からポンプ１３Ａ，１３Ｂの始動までのポンプ始動サイクル時間を、従来の約４．５倍に長くする（延ばす）ことができる。
【００３６】
上述したように、この発明の一実施例によれば、漏水運転時は、第２ポンプ始動圧力Ｈｍ２よりもポンプ吐出側圧力Ｈｉが低くなると、または、流量（ポンプ吐出側流量）Ｆｌが設定流量以上になると、ポンプ１３Ａおよび／またはポンプ１３Ｂ（ポンプ１３Ａ，１３Ｂの少なくとも一方）を始動させるので、漏水運転時における保圧完了からポンプ始動までのポンプ始動サイクル時間が長くなることにより、設備寿命を長くすることができる。
そして、流量（ポンプ吐出側流量）Ｆｌが設定流量よりも少ない状態が継続している間に、漏水運転要求が任意の回数に達すると、漏水運転と判定するので、漏水を確実に判定して漏水運転に移行することができる。
さらに、第２ポンプ始動圧力Ｈｍ２を第１ポンプ始動圧力Ｈｍ１（目標圧力Ｈｓ）の７０％に設定したので、給水の圧力変動を小さく抑えつつ、漏水運転時における保圧完了からポンプ始動までのポンプ始動サイクル時間が長くなることにより、設備寿命を長くすることができる。
【００３７】
図４は図１に示したポンプ始動頻度低減制御部の構成の他の例を示すブロック図であり、図２と同一または相当部分に同一符号を付し、その説明を省略する。
【００３８】
図４において、４１は設定時間を設定変更可能な遅延タイマを示し、ＡＮＤ回路３９の出力側と、漏水運転記憶回路４２のリセット端子との間に挿入され、漏水運転記憶回路４２の漏水記憶を解除する時間を任意の時間、例えば、流量検出用フロースイッチ１８が流量Ｆｌを検出できる時間以上の３０秒〜６０秒遅らせるものである。
【００３９】
このように、遅延タイマ４１をＡＮＤ回路３９の出力側と漏水運転記憶回路４２のリセット端子との間に挿入することにより、漏水運転記憶回路４２の漏水記憶を解除する時間が長くなる（延びる）ため、漏水運転を解除する場合、ポンプ１３Ａおよび／またはポンプ１３Ｂ（ポンプ１３Ａ，１３Ｂの少なくとも一方）の通水時間を充分に確保することができる。
したがって、大容量の水冷式のモータの場合、始動、停止にサイクル運転で温度上昇した巻線、軸受け、メカニカルシールなどを冷却するための冷却時間を充分に確保することができ、始動頻度の増加に起因するモータの過熱を防止し、充分な冷却効果を得ることができる。
【００４０】
上記した実施例では、吐出圧力一定制御の給水装置を例にして説明したが、推定末端圧一定制御の給水装置、圧力タンクを省略したタンクレスの給水装置にも適用することができる。
なお、圧力タンクを省略したタンクレスの給水装置における“ポンプ極低速運転”が“ポンプ停止”に相当するので、“ポンプ極低速運転信号”を“ポンプ停止信号ＳＴＯＰ”とすることによって達成できる。
また、ポンプ吐出側流量を給水制御シーケンス２６で算出する例を示したが、流量検出用フロースイッチ自身を、設定流量以上になると、設定流量以上の信号を出力し、設定流量未満になると、設定流量未満の信号を出力するものとしてもよい。
さらに、第２ポンプ始動圧力Ｈｍ２を給水圧力の７０％にした例を示したが、第２ポンプ始動圧力Ｈｍ２は、給水圧力の５０％〜１００％に設定することができる。
【図面の簡単な説明】
【００４１】
【図１】この発明の一実施例である給水装置の構成を示すブロック図である。
【図２】図１に示したポンプ始動頻度低減制御部の構成の一例を示すブロック図である。
【図３】（ａ），（ｂ）はこの発明の効果を説明する特性図である。
【図４】図１に示したポンプ始動頻度低減制御部の構成の他の例を示すブロック図である。
【符号の説明】
【００４２】
１              水道管
２              給水配管
３              給水本管
４Ａ，４Ｂ      給水分岐管
５              バイパス管
１１            ポンプ吸い込み側圧力検出器
１２            ポンプ吸い込み側逆流防止器
１３Ａ，１３Ｂ  ポンプ
１４Ａ，１４Ｂ  ポンプ吐出側逆止め弁
１５Ａ，１５Ｂ  ポンプ吐出側止水弁
１６            圧力タンク
１７            バイパス用逆止め弁
１８            流量検出用フロースイッチ
１９            ポンプ吐出側圧力検出器
２１            吐出圧力一定制御部
２２            目標圧力設定器
２３            演算器
２４            ＰＩＤコントローラ
２５Ａ，２５Ｂ  Ｄ／Ａ変換器
２６            給水制御シーケンス
３１            ポンプ始動頻度低減制御部
３２Ａ          第１ポンプ始動圧力設定器
３２Ｂ          第２ポンプ始動圧力設定器
３３            選択スイッチ
３４            演算器
３５            比較器
３６            ＯＲ回路（ポンプ始動要求信号出力判定器）
３７            記憶回路
３８            ＮＡＮＤ回路（漏水運転判定器）
３９            ＡＮＤ回路（給水運転判定器）
４０            漏水運転回数カウンタ
４１            遅延タイマ
４２            漏水運転記憶回路
４３            選択スイッチ切替器
５１Ａ，５１Ｂ  インバータ
５２Ａ，５２Ｂ  モータ
Ｈｓｕ          押し込み圧力
Ｈｉ            ポンプ吐出側圧力（給水圧力、吐出圧力）
Ｈｓ            目標圧力
Ｈｍ１          第１ポンプ始動圧力
Ｈｍ２          第２ポンプ始動圧力
Ｈｍ            ポンプ始動圧力
Ｆｌ            流量（ポンプ吐出側流量）
ＦＳ            流量信号
Ｆ＊            周波数
Ｆａ，Ｆｂ      インバータ運転周波数指令
Ｓａ，Ｓｂ      インバータ運転指令
ＲＵＮ          ポンプ運転信号
ＳＴＯＰ        ポンプ停止信号
ＲＵＮＣ        ポンプ始動要求信号
【図１】
2006118414.tif 000006
【図２】
2006118414.tif 000007
【図３】
2006118414.tif 000008
【図４】
2006118414.tif 000009